(57)【要約】  可視光の下で不可視であり、所定波長の光の下で可視となるステルスマークを有する光学部材等を提供する。  可視光の下で不可視であり所定波長の下で可視となるステルスマークを備え、前記ステルスマークが、光学部材に形成された蛍光色材により形成された含浸領域よりなる、光学部材。
2017111142.tif 000002
【特許請求の範囲】
【請求項１】
可視光の下で不可視であり所定波長の下で可視となるステルスマークを備え、
前記ステルスマークが、光学部材に形成された蛍光色材により形成された含浸領域よりなる、光学部材。
【請求項２】
前記光学部材が眼鏡レンズである、請求項１に記載の光学部材。
【請求項３】
基材と、プライマー層と、ハードコート膜と、反射防止膜と、を備え、
前記ステルスマークが、基材、プライマー層、及びハードコート膜からなる群から選ばれるいずれかに含浸されてなる、請求項２に記載の光学部材。
【請求項４】
前記基材が凸面及び凹面を有し、
前記ステルスマークが凸面側に形成されてなる、請求項３に記載の光学部材。
【請求項５】
前記基材が凸面及び凹面を有し、
前記ステルスマークが凹面側に形成されてなる、請求項３又は４に記載の光学部材。
【請求項６】
前記ステルスマークが、眼鏡レンズのボクシング中心付近、又は枠パターン内に形成されてなる、請求項２〜５のいずれかに記載の光学部材。
【請求項７】
前記ステルスマークが、一次元コード、二次元コード、文字、設計基準点、及び枠パターンからなる群から選ばれる少なくとも１種を含む、請求項２〜６のいずれかに記載の光学部材。
【請求項８】
可視光の下で不可視であり所定波長の下で可視となるステルスマークから識別情報を読み取って入力するステルスマーク入力部と、
光学部材に関する管理情報を格納した記憶部と、
前記ステルスマーク入力部から前記識別情報を受信して、前記ステルスマークに対応する管理情報を前記記憶部から選択するデータ処理部と
を備える光学部材管理システムであって、
前記ステルスマーク入力部が、
可視光の下で不可視であり所定波長の光の下で可視となる、光学部材に形成された蛍光色材により形成された含浸領域よりなるステルスマークを読み取るステルスマーク読み取り部を含む、光学部材管理システム。
【請求項９】
前記光学部材が、眼鏡レンズである、請求項８に記載の光学部材管理システム。
【請求項１０】
端末装置と管理装置とを備え、
前記端末装置が、前記ステルスマーク入力部と、前記ステルスマーク読み取り部とを有し、
前記管理装置が、前記記憶部と、前記データ処理部とを有する、請求項９に記載の光学部材管理システム。
【請求項１１】
請求項１０に記載の光学部材管理システムに含まれる端末装置。
【請求項１２】
請求項１０に記載の光学部材管理システムに含まれる管理装置。
【請求項１３】
請求項１０に記載の光学部材管理システムに含まれる端末装置を、可視光の下で不可視であり所定波長の光の下で可視となる、ステルスマークから識別情報を読み取って入力するステルスマーク入力部、可視光の下で不可視であり所定波長の光の下で可視となる、光学部材に形成された蛍光色材により形成された含浸領域よりなるステルスマークを読み取るステルスマーク読み取り部として機能させるためのプログラム。
【請求項１４】
請求項１０に記載の光学部材管理システムに含まれる管理装置を、光学部材に関する管理情報を格納した記憶部、前記ステルスマーク入力部から識別情報を受信して、このステルスマークに対応する管理情報を前記記憶部から選択するデータ処理部として機能させるためのプログラム。
【請求項１５】
光学部材に付加された、可視光の下で不可視であり所定波長の下で可視となるステルスマークを読み取って入力するステルスマーク入力部と、
前記ステルスマーク入力部に入力されたステルスマークに基づいて、光学部材を加工する加工部とを備え、
前記ステルスマーク入力部が、
可視光の下で不可視であり、所定波長の光の下で可視となる、光学部材に形成された蛍光色材により形成された含浸領域よりなるステルスマークを読み取るステルスマーク読み取り部を含む、光学部材製造システム。
【発明の詳細な説明】
【技術分野】
【０００１】
本開示は、光学部材、光学部材管理システム、及び光学部材の製造方法に関し、例えば、眼鏡レンズ管理システム、眼鏡レンズ管理方法、プログラム、眼鏡レンズ製造システム、眼鏡レンズの製造方法、及び眼鏡レンズに関する。
【背景技術】
【０００２】
眼鏡レンズは、当然に高い透明性が求められ、そのレンズ面に印字することには一定の制限がある。そのため、眼鏡レンズの製造及び販売において、眼鏡レンズの情報を管理するためには、眼鏡レンズの包装材等に特定の識別コード等を付してこれらの情報を管理する必要があった。【０００３】
特許文献１には、表面に情報を付加した眼鏡レンズであって、該眼鏡レンズが玉型加工された後も、所望の情報が該眼鏡レンズの表面に残ることを特徴とする眼鏡レンズが記載されている。
【先行技術文献】
【特許文献】
【０００４】
【特許文献１】特開２０００−２８４２３４号公報
【発明の概要】
【０００５】
本開示は、以下の〔１〕〜〔３〕に関する。
〔１〕可視光の下で不可視であり所定波長の下で可視となるステルスマークから識別情報を読み取って入力するステルスマーク入力部と、
光学部材に関する管理情報を格納した記憶部と、
前記ステルスマーク入力部から前記識別情報を受信して、前記ステルスマークに対応する管理情報を前記記憶部から選択するデータ処理部と
を備える光学部材管理システムであって、
前記ステルスマーク入力部が、
可視光の下で不可視であり所定波長の光の下で可視となる、光学部材に形成された蛍光色材により形成された含浸領域よりなるステルスマークを読み取るステルスマーク読み取り部を含む、光学部材管理システム。
〔２〕光学部材に付加された、可視光の下で不可視であり所定波長の下で可視となるステルスマークを読み取って入力するステルスマーク入力部と、
前記ステルスマーク入力部に入力されたステルスマークに基づいて、光学部材を加工する加工部とを備え、
前記ステルスマーク入力部が、
可視光の下で不可視であり、所定波長の光の下で可視となる、光学部材に形成された蛍光色材により形成された含浸領域よりなるステルスマークを読み取るステルスマーク読み取り部を含む、光学部材製造システム。
〔３〕可視光の下で不可視であり所定波長の下で可視となるステルスマークを備え、
前記ステルスマークが、光学部材に形成された蛍光色材により形成された含浸領域よりなる、光学部材。
【図面の簡単な説明】
【０００６】
【図１】図１は、本開示の実施形態に係る眼鏡レンズ管理システム１の構成を示す機能ブロック図である。
【図２】図２は、本開示において用いられる眼鏡レンズ５００の概略構成を示す断面図である。
【図３】図３は、本開示の実施形態に係る端末装置又は管理装置を構成するコンピュータのハードウェア構成を示すブロック図である。
【図４】図４は、本開示の実施形態に係る眼鏡レンズ管理システム１の動作の一例を示すフローチャートである。
【図５】図５は、第２の実施形態に係る眼鏡レンズ管理システム１の構成を示す機能ブロック図である。
【図６】図６は、本開示の実施形態に係る眼鏡レンズ管理システム１におけるポリシ毎のアクセス許可のレベルを示す表である。
【図７】図７は、端末装置１００ｃの構成を示す機能ブロック図である。
【図８】図８は、本開示の実施形態に係る眼鏡レンズ管理システム１の動作の一例を示すフローチャートである。
【図９】図９は、本開示の実施形態に係る眼鏡レンズ管理システム１の動作の一例を示すフローチャートである。
【図１０】図１０は、本開示の実施形態に係る眼鏡レンズ管理システム１の動作の一例を示すフローチャートである。
【図１１】図１１は、本開示の実施形態に係る眼鏡レンズ管理システム１の動作の一例を示すフローチャートである。
【図１２】図１２は、第３の実施形態に係る眼鏡レンズ製造システム２の構成を示す機能ブロック図である。
【図１３】図１３は、第４の実施形態に係る眼鏡レンズ製造システム２の構成を示す機能ブロック図である。
【図１４】図１４は、第５の実施形態に係る眼鏡レンズ製造システム２の構成を示す機能ブロック図である。
【図１５】図１５は、第１実施形態の眼鏡レンズの構成を示す概略図である。
【図１６】図１６は、第２実施形態の眼鏡レンズ５００の構成を説明するための断面図である。
【図１７】図１７は、第３実施形態の眼鏡レンズの構成を示す概略図である。
【図１８】図１８は、第４実施形態の眼鏡レンズの構成を示す概略図である。
【図１９】図１９は、本開示の眼鏡レンズの使用態様を示す概略図である。
【発明を実施するための形態】
【０００７】
従来の管理方法によれば、包装材などに眼鏡レンズ等の光学部材の識別情報を付して管理していたが、光学部材と分離されてしまうと、光学部材と包装材とに入れ違いが生じるなどして管理情報が必ずしも適切でないことや、エンドユーザに光学部材が譲渡されるとその後の情報を追跡することはできないという課題があった。
また、従来の設計基準点を示すマークは、眼鏡レンズ等の光学部材の流通後に消費者に視認されにくいようにするため、その位置を確認するためには熟練した技術が必要となるといった課題があった。
特許文献１に記載の方法によれば、単にインクジェットプリンタにより印字されている場合、可視光の下であっても眼鏡レンズ等の光学部材に付されたコードが視認でき、眼鏡レンズとしての使用には制限があった。
【０００８】
本開示の一実施形態は、眼鏡レンズ等の光学部材の情報を管理する光学部材管理システム、光学部材管理方法、及びプログラムを提供することを課題とする。
本開示は、以下の〔１−１〕〜〔１−４〕に関する。
〔１−１〕可視光の下で不可視であり所定波長の下で可視となるステルスマークから識別情報を読み取って入力するステルスマーク入力部と、
光学部材に関する管理情報を格納した記憶部と、
ステルスマーク入力部から識別情報を受信して、ステルスマークに対応する管理情報を記憶部から選択するデータ処理部と
を備える光学部材管理システムであって、
ステルスマーク入力部が、
可視光の下で不可視であり所定波長の光の下で可視となる、光学部材に形成された蛍光色材により形成された含浸領域よりなるステルスマークを読み取るステルスマーク読み取り部を含む、光学部材管理システム。
〔１−２〕可視光の下で不可視であり所定波長の光の下で可視となる、光学部材に形成された蛍光色材により形成された含浸領域よりなるステルスマークを読み取るステップと、
可視光の下で不可視であり所定波長の下で可視となるステルスマークから識別情報を読み取って入力するステップと、
ステルスマーク入力工程で読み取った識別情報を受信して、ステルスマークに対応する管理情報を、光学部材に関する管理情報を格納した記憶部から選択するステップと
を備える、光学部材管理方法。
〔１−３〕上述の〔１〕の光学部材管理システムに含まれる端末装置を、可視光の下で不可視であり所定波長の下で可視となるステルスマークから識別情報を読み取って入力するステルスマーク入力部、可視光の下で不可視であり所定波長の光の下で可視となる、光学部材に形成された蛍光色材により形成された含浸領域よりなるステルスマークを読み取るステルスマーク読み取り部として機能させるためのプログラム。
〔１−４〕上述の〔１〕の光学部材管理システムに含まれる管理装置を、光学部材に関する管理情報を格納した記憶部、ステルスマーク入力部から識別情報を受信して、ステルスマークに対応する管理情報を記憶部から選択するデータ処理部として機能させるためのプログラム。
上述した一実施形態によれば、光学部材の情報を管理する光学部材管理システム、光学部材管理方法、及びプログラムを提供することができる。
【０００９】
本開示の一実施形態は、眼鏡レンズ等の光学部材に付された情報に基づいて加工する、光学部材製造システム、光学部材製造方法、及びプログラムを提供することを課題とする。
本開示は、以下の〔２−１〕〜〔２−２〕に関する。
〔２−１〕  玉型加工前の光学部材に付加された、可視光の下で不可視であり所定波長の下で可視となるステルスマークを読み取って入力するステルスマーク入力部と、
ステルスマーク入力部に入力されたステルスマークに基づいて、玉型加工前の光学部材を加工する加工部とを備え、
ステルスマーク入力部が、
可視光の下で不可視であり、所定波長の光の下で可視となる、光学部材に形成された蛍光色材により形成された含浸領域よりなるステルスマークを読み取るステルスマーク読み取り部を含む光学部材製造システム。
〔２−２〕可視光の下で不可視であり、所定波長の光の下で可視となる、光学部材に形成された蛍光色材により形成された含浸領域よりなるステルスマークを読み取るステップと、
玉型加工前の光学部材に付加された、可視光の下で不可視であり所定波長の下で可視となるステルスマークを読み取って入力するステップと、
ステルスマーク入力部に入力されたステルスマークに基づいて、玉型加工前の光学部材を加工するステップと
を備える、光学部材製造方法。
上述した一実施形態によれば、光学部材に付された情報に基づいて加工する、光学部材製造システム、光学部材製造方法、及びプログラムを提供することができる。
【００１０】
本開示の一実施形態は、可視光の下で不可視であり、所定波長の光の下で可視となるステルスマークを有する光学部材を提供することを課題とする。
本開示は、以下の〔３〕に関する。
〔３〕可視光の下で不可視であり所定波長の下で可視となるステルスマークを備え、ステルスマークが、光学部材に形成された蛍光色材により形成された含浸領域よりなる、光学部材。
上述した一実施形態によれば、可視光の下で不可視であり、所定波長の光の下で可視となるステルスマークを有する光学部材を提供することができる。
【００１１】
以下、本開示の好ましい実施形態について、図面を参照して詳しく説明する。なお、図中同一又は相当部分には同一の符号を付してその説明は繰り返さない。
なお、本明細書において、光学部材は、眼鏡レンズ及びその他の光学部材を意味する。光学部材としては、眼鏡レンズ、コンタクトレンズ、カメラレンズ、プリズム、光ファイバー、光ディスク及び磁気ディスクなどに用いられる記録媒体用基板等が挙げられる。
【００１２】
［第１実施形態］
図１は、本開示の実施形態に係る眼鏡レンズ管理システム１の構成を示す機能ブロック図である。
本開示の実施形態に係る眼鏡レンズ管理システム１は、端末装置１００と管理装置２００とを備える。
【００１３】
端末装置１００は、可視光の下では不可視であり所定波長の下で可視となるステルスマーク５０１から識別情報を読み取って入力するステルスマーク入力部１０１を有する。
ステルスマーク入力部１０１は、可視光の下で不可視であり、所定の波長の光の下で可視となる、眼鏡レンズ５００に形成された蛍光色材により形成された含浸領域よりなるステルスマーク５０１を読み取るステルスマーク読み取り部１０２を有する。ステルスマーク読み取り部１０２は、例えば、カメラＣと接続し、眼鏡レンズ５００にライトＬにより所定波長の光を照射することで可視となるステルスマーク５０１を読み取る。
ステルスマーク読み取り部は、所定波長の光を照射する照射部とカメラとを有するコードリーダと接続していてもよい。照射部は、例えば、紫外光を照射する光源が挙げられる。
【００１４】
管理装置２００は、眼鏡レンズ５００に関する管理情報Ｉを格納した記憶部２０１と、ステルスマーク入力部１０１から識別情報を受信して、ステルスマーク５０１に対応する管理情報ｉを記憶部２０１から選択するデータ処理部２０２とを有する。
管理情報Ｉとしては、例えば、製造情報、販売情報、顧客カルテ情報が挙げられる。
製造情報としては、例えば、レンズ材料、設計タイプ、製造履歴情報、製造工場、製造日、処方情報、品質情報、表面処理情報、レイアウト情報、Ｒ／Ｌ識別情報、設計基準点情報が挙げられる。
販売情報としては、例えば、流通経路情報、販売先、納品日が挙げられる。
顧客カルテ情報としては、氏名、生年月日、検眼情報、眼鏡レンズの処方、販売日が挙げられる。
管理情報ｉは、管理情報Ｉの少なくとも一部である。
【００１５】
本実施形態では、端末装置１００及び管理装置２００は、ネットワーク３を介して互いに接続されている。
また、本実施形態では、端末装置１００又は管理装置２００は、１台ずつ図示されているが、これに限定されない。複数の端末装置１００及び複数の管理装置２００を備えることができる。
【００１６】
図２は、本開示において用いられる眼鏡レンズ５００の概略構成を示す断面図である。
眼鏡レンズ５００は、ステルスマーク５０１を有する。ステルスマーク５０１は、可視光の下で不可視であり、所定の波長の光の下で可視となる。ステルスマーク５０１は、蛍光色材により形成された含浸領域よりなる。
「含浸領域」とは、蛍光色材が含浸した領域を意味する。
可視光の下とは、太陽光、蛍光灯、ＬＥＤ灯などの室内灯等の光の下を意味する。
所定の波長は、特に限定されないが、例えば波長領域２８０〜４００ｎｍの紫外線領域、波長領域０．７〜２．５μｍの赤外線領域など、不可視光領域であることが好ましい。
【００１７】
本明細書において「ステルスマーク」とは、可視光の下では不可視であり所定波長の下で可視となる、マークを意味する。
本明細書において「不可視」とは、人間の目で全く見えない状態又は見えにくい状態を意味する。
ステルスマーク５０１としては、識別情報を付与することができれば、特に限定されず、一次元コード、二次元コード、英字、数字等の文字等が挙げられる。
一次元コードとしては、例えば、バーコード等が挙げられる。バーコードとしては、例えば、ＣＯＤＥ３９、ＪＡＮ、ＮＷ−７等が挙げられる。
二次元コードとしては、例えば、ＰＤＦ４１７、ＳｕｐｅｒＣｏｄｅ、ＤａｔａＭａｔｒｉｘ、ＭａｘｉＣｏｄｅ、ＱＲＣｏｄｅ等が挙げられる。
その他ステルスマークとして、設計基準点が含まれていることが好ましい。
ステルスマークを形成する蛍光色材は、後述の例が挙げられる。
【００１８】
図３は、本開示の実施形態に係る端末装置又は管理装置を構成するコンピュータのハードウェア構成を示すブロック図である。
図３に示すように、端末装置１００又は管理装置２００は、例えば、ＣＰＵ６２、ＲＯＭ６４（例えば、ハードディスク）、ＲＡＭ６６（例えば、メモリ）、及びＩ／Ｏ６８を備え、各要素はバス６９を介して接続される。
端末装置１００は、ＣＣＤカメラ等の画像読み取り装置７２、キーボードやマウス等の入力装置７４やディスプレイなどの表示装置７６やプリンタ等の出力装置（不図示）と接続されるサーバコンピュータやパーソナルコンピュータ、又はそれらに相当するコンピュータ６０により実現することができる。
管理装置２００は、キーボードやマウス等の入力装置７４やディスプレイなどの表示装置７６やプリンタ等の出力装置（不図示）と接続されるサーバコンピュータやパーソナルコンピュータ、又はそれらに相当するコンピュータ６０により実現することができる。
そして、ＣＰＵ６２が、ＲＯＭ６４に記憶されるプログラムをメモリに読み出して実行することにより、端末装置１００又は管理装置２００の各ユニットの各機能を実現することができる。
なお、各図において、本開示の本質に関わらない部分の構成については省略してあり、図示されていない。
【００１９】
また、図１の端末装置１００又は管理装置２００は、図３のＣＰＵ６２、メモリ（ＲＡＭ６６）、メモリにロードされた本図の構成要素を実現するプログラム、そのプログラムを格納するハードディスクなどの記憶ユニット（ＲＯＭ６４）、ネットワーク接続用インタフェース（Ｉ／Ｏ６８）を備える任意のコンピュータ６０（図３）のハードウェアとソフトウェアの任意の組み合わせによって実現される。そして、その実現方法、装置にはいろいろな変形例があることは、当業者には理解されるところである。以下説明する他の実施形態も含む各機能ブロック図は、ハードウェア単位の構成ではなく、論理的な機能単位のブロックを示している。
【００２０】
本開示の実施形態に係る端末装置１００又は管理装置２００では、コンピュータプログラム７０に対応する各種の処理動作をＣＰＵ６２が実行することにより、前述のような各種ユニットが各種機能として実現される。
【００２１】
本開示の実施形態に係る第１のコンピュータプログラムは、端末装置１００を実現させるためのコンピュータ６０に、可視光の下で不可視であり所定の波長の光の下で可視となる、眼鏡レンズに形成された蛍光色材により形成された含浸領域よりなるステルスマークを読み取り、可視光の下で不可視であり所定波長の下で可視となるステルスマークから識別情報を読み取って入力する手順を実行させるように記述されている。
【００２２】
さらに、本開示の実施の形態に係る第２のコンピュータプログラムは、管理装置２００を実現させるためのコンピュータ６０に、眼鏡レンズに関する管理情報Ｉを格納し、端末装置１００のステルスマーク入力部から識別情報を受信して、このステルスマークに対応する管理情報ｉを記憶部２０１から選択する手順を実行させるように記述されている。
【００２３】
本実施形態の各コンピュータプログラムは、端末装置１００又は管理装置２００を実現するコンピュータ６０で読み取り可能な記録媒体に記録されてもよい。記録媒体は特に限定されず、様々な形態のものが考えられる。また、プログラムは、記録媒体からコンピュータ６０のメモリにロードされてもよいし、ネットワークを通じてコンピュータにダウンロードされ、メモリにロードされてもよい。
【００２４】
上述の構成において、本実施形態の眼鏡レンズ管理システム１による管理方法を以下に説明する。
図４は、本開示の実施形態に係る眼鏡レンズ管理システム１の動作の一例を示すフローチャートである。
本実施形態に係る眼鏡レンズ管理方法は、端末装置１００のステルスマーク読み取り部１０２が、可視光の下で不可視であり所定の波長の光の下で可視となる、眼鏡レンズに形成された蛍光色材により形成された含浸領域よりなるステルスマーク５０１を読み取り（ステップＳ１０１）、ステルスマーク入力部１０１が、可視光の下で不可視であり所定波長の下で可視となるステルスマーク５０１から識別情報を読み取って入力し（ステップＳ１０２）、端末装置１００が識別情報を送信し（ステップＳ１０３）、管理装置２００のデータ処理部２０２が、ステルスマーク入力部１０１から識別情報を受信し（ステップＳ１１１）、データ処理部２０２がこのステルスマーク５０１に対応する管理情報ｉを記憶部２０１から選択する（ステップＳ１１２）。
【００２５】
以上、本実施形態に係る眼鏡レンズ管理システム１は、眼鏡レンズに形成されたステルスマークを読み取ることで、眼鏡レンズの情報を管理することができる。ステルスマークは、蛍光色材により形成された含浸領域よりなるので、可視光の下では視認できず、所定波長を照射したときのみ確認できる。そのため、眼鏡レンズとしての通常の利用に支障はなく、眼鏡の生産から流通まで、眼鏡レンズの履歴情報をステルスマークによって管理することができる。その結果、眼鏡販売店が、顧客管理、接客サポート、アフターサービスに本開示の眼鏡レンズ管理システムを活用でき、より具体的には、顧客のカルテを電子データで管理することによるカルテレス化、眼鏡レンズメーカの製品保証、販売店製品保証、ダイレクトメールの発行時期などを管理する販売促進ツール、眼鏡レンズの再作支援等に活用することができる。
【００２６】
［第２実施形態］
図５は、第２の実施形態に係る眼鏡レンズ管理システム１の構成を示す機能ブロック図である。
本実施形態では、上述の実施形態とは異なり、眼鏡レンズメーカの工場に設置された端末装置１００ａと、眼鏡レンズメーカの営業所に設置された端末装置１００ｂと、眼鏡販売店に設置された端末装置１００ｃと（以下、端末装置１００ａ〜ｃを総称して「端末装置１００」ともいう）が備えられている。このように、眼鏡レンズメーカの工場、眼鏡レンズメーカの営業所、眼鏡販売店に端末装置を設置し、製造に関する情報、販売に関する情報に関して情報を集約することで、エンドユーザからの個別製品に関する問合せなどへの対応を迅速化できる。端末装置１００ａは、管理装置２００から送信される管理情報ｉを表示する表示部１０３を有する。なお、図示しないが、端末装置１００ｂも、端末装置１００ａと同様に表示部を有する。
【００２７】
図７は、端末装置１００ｃの構成を示す機能ブロック図である。
端末装置１００ｃは、端末装置１００の実施形態とは異なり、販売顧客情報を入力する販売顧客情報入力部１０４を更に有する。販売顧客情報としては、顧客の氏名、生年月日、検眼情報、眼鏡レンズの処方情報、販売日等が挙げられる。販売顧客情報は、例えば、キーボード、マウス等の入力装置などにより、入力することができる。
【００２８】
端末装置１００ｃは、端末装置１００の実施形態とは異なり、眼鏡レンズの識別情報と関連して、再作発注情報を入力する再作発注情報入力部１０５を更に有する。
「再作」とは、以前に作成した眼鏡レンズと同じ眼鏡レンズを作成することを意味する。
「再作発注情報」とは、眼鏡レンズの識別情報及び発注個数等が含まれる。
【００２９】
図５を再度参照して、管理装置２００は、記憶部の管理情報Ｉとして、製造情報２０３ａと、販売情報２０３ｂと、顧客カルテ情報２０３ｃとを有する。
本実施形態における端末装置及び管理装置は、実施形態の端末装置１００及び管理装置２００と同様な機能を少なくとも有する。管理装置２００のデータ処理部２０２は、眼鏡レンズの識別情報に対応して、販売顧客情報を記憶部２０１に格納するように構成する。
販売顧客情報としては、顧客の氏名、生年月日などの個人情報、検眼情報、眼鏡レンズの処方、販売日等が挙げられる。
管理装置２００のデータ処理部２０２は、眼鏡レンズの識別情報から、処方情報を含む管理情報ｉを記憶部２０１から選択し、別の端末装置（例えば、端末装置１００ａ又は１００ｂ）に送信する再作情報処理部２０４を更に有する。
管理装置２００のデータ処理部２０２は、記憶部２０１に格納された眼鏡レンズの製造日から所定期間経過した眼鏡レンズを保管している端末装置１００ａに対して、使用期限情報を送信する、使用期限管理部２０５を更に有する。
【００３０】
管理装置２００は、上述の実施形態とは異なり、各端末装置１００からの情報のアクセスを制限するアクセス管理部２０７を有する。眼鏡レンズメーカ、眼鏡販売店などの各事業主体の間で情報を共有するため、情報のセキュリティ上の課題が生じるため、アクセス管理部２０７が設けられる。
管理装置２００は、例えば、管理装置に蓄積された情報のセキュリティ対策として、管理者により、各端末装置１００に、セキュリティポリシがそれぞれ設定されている。
各端末装置１００のセキュリティポリシは、管理装置２００のアクセス管理部２０７が管理する。眼鏡レンズ管理システム１では、各端末装置１００は、管理装置２００のアクセス管理部２０７により、複数レベルのポリシの中からいずれかのポリシに設定される。
図６は、本開示の実施形態に係る眼鏡レンズ管理システム１におけるポリシ毎のアクセス許可のレベルを示す表である。本実施形態では、管理装置２００は、端末装置１００に対するベースポリシとして、記憶部２０１へのアクセス禁止を示すポリシ１が設定される。そして、アクセス管理部２０７は、端末装置１００の利用者に応じて、記憶部２０１へのアクセスを許可したポリシ２〜３のいずれかに変更できる。
本実施形態では、端末装置１００及び管理装置２００は、ネットワーク３を介して互いに接続されている。
【００３１】
本実施形態の管理装置及び端末装置も、上述の実施形態で説明した図３のコンピュータ６０のハードウェアとソフトウェアの任意の組み合わせによって実現される。コンピュータ６０のＣＰＵ６２が、ハードディスク等の記憶ユニット（ＲＯＭ６４）に記憶されるプログラムをメモリ（ＲＡＭ６６）に読み出して実行することにより、管理装置及び端末装置の各ユニットの各機能を実現することができる。
【００３２】
本実施形態において工場に設置された端末装置１００ａは、ステルスマークに関連した識別情報にひも付けて、管理情報ｉを、管理装置２００に送信し、管理装置２００のデータ処理部２０２は、記憶部２０１に眼鏡レンズの製造情報２０３ａとして格納する。
ここで管理情報ｉとしては、レンズ材料、設計タイプ、製造工場、製造日、処方情報、眼鏡レンズの受注情報、製造履歴情報、顧客管理情報、品質情報、表面処理情報、レイアウト情報、受注情報、Ｒ／Ｌ識別情報、設計基準点情報等が挙げられる。
【００３３】
端末装置１００ａにより、眼鏡レンズに付されたステルスマークから識別情報を読み取って、管理装置２００のデータ処理部２０２に送信し、データ処理部２０２がステルスマークに対応する管理情報ｉを記憶部２０１から選択し、管理情報ｉを端末装置１００ａに返信する。
端末装置１００ａは、管理装置２００から送信された管理情報ｉを表示部１０３により表示する。管理情報ｉとして、製造工程における表面処理情報、レイアウト情報等を表示することで、個別の眼鏡レンズに対応する情報を表示できるので、工場内で、眼鏡レンズに添付する紙の指示書をなくすことができる。
【００３４】
図８は、本開示の実施形態に係る眼鏡レンズ管理システム１の動作の一例を示すフローチャートである。
本実施形態において、眼鏡管理システム１では、各端末装置１００から利用申請の入力を行い（ステップＳ２５０）、管理装置２００は、アクセス管理部２０７にて、各端末装置１００から利用申請を、例えば、申請画面への申請内容の入力により受付ける（ステップＳ２６０）。申請内容が表示である場合（ステップ２６１）、アクセス管理部２０７は、アクセスの正当性を確認した後、ＯＫであれば（ステップＳ２６２）、許可情報を生成し、生成した許可情報を端末装置１００に送信し（ステップＳ２６３）、端末装置１００は、表示装置１０３に許可情報を表示する（ステップ２５２）。申請内容が書換である場合（ステップＳ２６５）、アクセス管理部２０７は、アクセスの正当性を確認した後、ＯＫであれば（ステップＳ２６６）、端末装置１００から入力された情報に記憶部２０１の情報を書き換える（ステップＳ２６７）。
また、管理装置２００の記憶部２０１へのアクセス制限を示すポリシは、ベースポリシとして、アクセス禁止のポリシと、上述の記憶部２０１へのアクセスを許可したポリシ２〜３のいずれかに設定される。
【００３５】
本実施形態の眼鏡レンズ管理システム１により、工場内の眼鏡レンズの使用期限を管理することができる。
図９は、本開示の実施形態に係る眼鏡レンズ管理システム１の動作の一例を示すフローチャートである。
本実施形態に係る眼鏡レンズ管理方法は、管理装置２００の使用期限管理部２０５が記憶部２０１に格納された眼鏡レンズの製造日を選択し（ステップＳ２０１）、使用期限管理部２０５が所定期限を過ぎているか判断し（ステップＳ２０２）、所定期限を過ぎている場合、管理装置２００が使用期限情報を送信し（ステップＳ２０３）、
端末装置１００ａが使用期限情報を受信し（ステップＳ２１１）、表示部１０３が使用期限情報を表示する（ステップＳ２１２）。
上述の管理方法により、眼鏡レンズの在庫管理を行うことができ、所定期限が経過した古い眼鏡レンズ基材などの情報を表示することができる。
【００３６】
本実施形態において営業に設置された端末装置１００ｂは、ステルスマークに関連した識別情報にひも付けて、管理情報ｉとして、流通経路情報、販売先、納品日等を、管理装置２００に送信し、管理装置２００のデータ処理部２０２は、記憶部２０１に販売情報２０３ｂとして格納する。
【００３７】
端末装置１００ｂにより、眼鏡レンズに付されたステルスマークから識別情報を読み取って、管理装置２００のデータ処理部２０２に送信し、データ処理部２０２がステルスマークに対応する管理情報ｉを記憶部２０１から選択し、管理情報ｉを端末装置１００ｂに返信する。端末装置１００ｂは、管理装置２００から送信された管理情報ｉを表示部１０３により表示する。本実施形態の眼鏡レンズ管理システムにより、例えば、販売店、エンドユーザからの問合せに対して、個別の眼鏡レンズの管理情報を取得して対応することができる。
【００３８】
本実施形態において販売店に設置された端末装置１００ｃは、管理情報ｉとして、販売顧客情報を、管理装置２００に送信し、管理装置２００のデータ処理部２０２は、ステルスマークに関連した識別情報にひも付けて記憶部２０１に顧客カルテ情報２０３ｃとして格納する。
【００３９】
図１０は、本開示の実施形態に係る眼鏡レンズ管理システム１の動作の一例を示すフローチャートである。
本実施形態に係る眼鏡レンズ管理方法は、端末装置１００ｃの販売顧客情報入力部１０４が販売顧客情報を入力し（ステップＳ２２１）、端末装置１００ｃが販売顧客情報を管理装置２００に送信し（ステップＳ２２２）、
管理装置２００が販売顧客情報を受信し（ステップＳ２３１）、データ処理部２０２が販売顧客情報を記憶部２０１に格納し（ステップＳ２３２）、管理装置２００が販売顧客情報を端末装置１００ａに送信し（ステップＳ２３３）、
端末装置１００ａが販売顧客情報を受信し（ステップＳ２４１）、ステルスマーク読み取り部１０２が製造する眼鏡レンズに形成されたステルスマークを読み取り（ステップＳ２４２）、ステルスマーク入力部１０１がステルスマークから識別情報を読み取って入力し（ステップＳ２４３）、端末装置１００ａが識別情報を管理装置２００に送信し（ステップＳ２４４）、
管理装置２００が識別情報を受信し（ステップＳ２３４）、データ処理部２０２が眼鏡レンズの識別情報に対応して、販売顧客情報を記憶部２０１に格納する（ステップＳ２３５）。
【００４０】
上述の管理方法により、自動的に顧客カルテを作成することができる。
販売店は、一般的に眼鏡の作成時に処方情報にあわせて、顧客ごとのカルテを作成するが、店舗内に広い保管スペースが必要となる。本実施形態の管理システムより、顧客カルテ情報を管理することで、販売店が作成する紙のカルテを代替することができる。
【００４１】
本実施形態において販売店に設置された端末装置１００ｃは、エンドユーザからの再作依頼に対応して、眼鏡レンズの識別情報に対応する再作発注情報を、管理装置２００に送信し、管理装置２００の再作情報処理部２０４は、眼鏡レンズの識別情報から、処方情報を含む管理情報ｉを記憶部２０１から選択し、別の端末装置（例えば、端末装置１００ａ又は１００ｂ）に送信する。
【００４２】
図１１は、本開示の実施形態に係る眼鏡レンズ管理システム１の動作の一例を示すフローチャートである。
本実施形態に係る眼鏡レンズ管理方法は、端末装置１００ｃのステルスマーク読み取り部１０２がステルスマークを読み取り（ステップＳ２５１）、ステルスマーク入力部がステルスマークから識別情報を読み取って入力し（ステップＳ２５２）、再作発注情報入力部１０５が眼鏡レンズの識別情報と関連して再作発注情報を入力し（ステップＳ２５３）、端末装置１００ｃが再作発注情報を管理装置２００に送信し（ステップＳ２５４）、
管理装置２００が再作発注情報を受信し（ステップＳ２６１）、データ処理部２０２が眼鏡レンズの識別情報に対応する管理情報ｉを記憶部２０１から選択し（ステップＳ２６２）、管理装置２００が再作発注情報及び管理情報ｉを端末装置１００ａに送信し（ステップＳ２６３）、
端末装置１００ａが再作発注情報及び管理情報ｉを受信し（ステップＳ２７１）、表示部１０３が再作発注情報及び管理情報ｉを表示する（ステップＳ２７２）。
本実施形態の眼鏡レンズ管理システムにより、販売店員は、エンドユーザからの眼鏡の再作の依頼があった場合、眼鏡レンズに付されたステルスマークから識別情報を読み取って、管理装置２００に送信することで、眼鏡レンズの処方など再作に必要な情報を入手しなくとも、簡単に再作依頼をすることができる。
【００４３】
［第３実施形態］
図１２は、第３の実施形態に係る眼鏡レンズ製造システム２の構成を示す機能ブロック図である。
本開示の実施形態に係る眼鏡レンズ製造システム２は、端末装置１１０と加工装置３００とを備える。
【００４４】
端末装置１１０は、玉型加工前の眼鏡レンズに付加された、可視光の下で不可視であり所定波長の下で可視となるステルスマークを読み取って入力するステルスマーク入力部１１１を有する。
ステルスマーク入力部は、可視光の下で不可視であり所定波長の光の下で可視となる、眼鏡レンズに形成された蛍光色材により形成された含浸領域よりなるステルスマークを読み取るステルスマーク読み取り部１１２を含む。
【００４５】
加工装置３００は、ステルスマーク入力部１１１に入力されたステルスマークに基づいて、玉型加工前の眼鏡レンズを加工する加工部３０１を有する。
加工装置としては、眼鏡レンズに製造に使用される装置であって、例えば、研磨装置、染色装置、プライマー塗工装置、ハードコート膜形成装置、反射防止膜蒸着装置、玉型加工装置、検査装置、調光・偏光加工装置、マーキング装置（レイアウトマーク・設計基準点・レンズ情報マークなど）等が挙げられる。
本実施形態では、端末装置１１０及び加工装置３００は、直接接続されているが、ネットワーク３を介して互いに接続されていてもよい。
【００４６】
本実施形態の端末装置も、上述の実施形態で説明した図３のコンピュータ６０のハードウェアとソフトウェアの任意の組み合わせによって実現される。コンピュータ６０のＣＰＵ６２が、ハードディスク等の記憶ユニット（ＲＯＭ６４）に記憶されるプログラムをメモリ（ＲＡＭ６６）に読み出して実行することにより、管理装置及び端末装置の各ユニットの各機能を実現することができる。
【００４７】
本実施形態において使用するステルスマークとしては、設計基準点、枠パターン等が好ましい。加工装置に設置した眼鏡レンズに対して、所定波長を照射して、設計基準点を読み取ることで位置決めに使用することもできる。
【００４８】
ステルスマーク読み取り部１１２によりステルスマークを読み取り、当該ステルスマークをステルスマーク入力部１１１で入力し、加工装置３００に送信し、加工部３０１は受信したステルスマークの情報に基づいて加工を行う。加工としては、研磨、染色、プライマー塗工、ハードコート膜形成、反射防止膜蒸着、玉型加工、検査、調光・偏光加工、マーキング（レイアウトマーク・設計基準点・レンズ情報マークなど）が挙げられる。
加工前に、ステルスマーク入力部に入力されたステルスマークに基づいて、レンズの位置決めを行うこともできる。
【００４９】
［第４実施形態］
図１３は、第４の実施形態に係る眼鏡レンズ製造システム２の構成を示す機能ブロック図である。
【００５０】
本開示の実施形態に係る眼鏡レンズ製造システム２は、第３の実施形態に係る眼鏡レンズ製造システム２に加えて、管理装置２００を更に備える。
本実施形態における端末装置及び管理装置は、第１の実施形態の端末装置１００及び管理装置２００と同様な機能を少なくとも有する。
端末装置１１０、管理装置２００、及び加工装置３００は、ネットワークを介して互いに接続されている。
【００５１】
本実施形態の管理装置及び端末装置も、上述の実施形態で説明した図３のコンピュータ６０のハードウェアとソフトウェアの任意の組み合わせによって実現される。コンピュータ６０のＣＰＵ６２が、ハードディスク等の記憶ユニット（ＲＯＭ６４）に記憶されるプログラムをメモリ（ＲＡＭ６６）に読み出して実行することにより、管理装置及び端末装置の各ユニットの各機能を実現することができる。
【００５２】
端末装置１００により、眼鏡レンズに付されたステルスマークから識別情報を読み取って、管理装置２００のデータ処理部２０２に送信し、データ処理部２０２がステルスマークに対応する管理情報ｉを記憶部２０１から選択し、管理情報ｉを加工装置３００に送信する。
加工装置３００は、管理装置２００から送信された管理情報ｉに基づいて加工を行う。管理情報ｉとして、製造工程におけるレシピを表示することで、個別の眼鏡レンズに対応する情報を表示できるので、工場内で、眼鏡レンズに添付する紙の指示書をなくすことができ、更に眼鏡レンズの取違いを防ぐことができる。
【００５３】
［第５実施形態］
図１４は、第５の実施形態に係る眼鏡レンズ製造システム２の構成を示す機能ブロック図である。
【００５４】
本開示の実施形態に係る眼鏡レンズ製造システム２は、第４の実施形態に係る眼鏡レンズ製造システムに加えて、検査装置４００を更に備える。
検査装置４００は、加工後の眼鏡レンズの検査を行う検査部４０１と、データ処理部が選択した管理情報ｉと、検査部４０１から得られる検査情報を対比して、眼鏡レンズの不良判定を行う不良判定部４０２とを有する。
本実施形態における端末装置及び管理装置は、第１の実施形態の端末装置１００及び管理装置２００と同様な機能を少なくとも有する。
端末装置１１０、管理装置２００、加工装置３００、及び検査装置４００は、ネットワーク３を介して互いに接続されている。
【００５５】
本実施形態の管理装置及び端末装置も、上述の実施形態で説明した図３のコンピュータ６０のハードウェアとソフトウェアの任意の組み合わせによって実現される。コンピュータ６０のＣＰＵ６２が、ハードディスク等の記憶ユニット（ＲＯＭ６４）に記憶されるプログラムをメモリ（ＲＡＭ６６）に読み出して実行することにより、管理装置及び端末装置の各ユニットの各機能を実現することができる。
【００５６】
端末装置１００により、眼鏡レンズに付されたステルスマークから識別情報を読み取って、管理装置２００のデータ処理部２０２に送信し、データ処理部２０２がステルスマークに対応する管理情報ｉを記憶部２０１から選択し、管理情報ｉを加工装置３００に送信する。
加工装置３００は、管理装置２００から送信された管理情報ｉと検査部から得られる検査情報を対比して、眼鏡レンズの不良判定を行う。本実施形態により、個別の眼鏡レンズに対応する情報から、眼鏡レンズの不良判定を行うことができる。本実施形態によれば、更に眼鏡レンズの取違いを防ぐことができる。
【００５７】
［眼鏡レンズ］
本開示の眼鏡レンズについて、以下に詳細に説明する。
眼鏡レンズは、好ましくは、基材と、プライマー層と、ハードコート膜と、反射防止膜とを備える。ステルスマークは、基材、プライマー層、及びハードコート膜からなる群から選ばれるいずれかに含浸されてなることが好ましい。
図１５は、第１実施形態の眼鏡レンズの構成を示す概略図である。眼鏡レンズ５００は、眼鏡レンズのボクシング中心付近に形成されたステルスマーク５０１を有する。ステルスマーク５０１は蛍光色材により形成された含浸領域よりなる、二次元コード５０１ａである。ステルスマークとして、設計基準点５０１ｃ、枠パターン５０１ｄが含まれる。
ステルスマーク５０１は、ボクシング中心付近でなくとも、枠パターン内に形成されていてもよい。
【００５８】
ステルスマーク５０１は、基材５１０に含浸形成されているため、可視光の下で不可視であり、眼鏡レンズの表面を拭取る或いは加工する場合であっても消失しにくくなる。
本実施形態の眼鏡レンズは、例えば、所定の波長をもつ光を照射することで、ステルスマークが可視となる。そのため、通常の眼鏡としての使用時には、ステルスマークは視認されず、所定の波長をもつ光を照射することで、可視となり、二次元コードが読み取り可能となる。
【００５９】
蛍光色材は、蛍光顔料であっても、蛍光染料であってもよい。
蛍光顔料としては、ステルスマークを付与する観点から、Ｃ．Ｉ．ピグメントイエロー１２、１３、１４、１７、２０、２４、５５、７４、８３、８６、９３、９７、９８、１０９、１１０、１１７、１２０、１２５、１２８、１３７、１３８、１３９、１４７、１４８、１５０、１５１、１５３、１５４、１５５、１６６、１６８、１８０、１８５、Ｃ．Ｉ．ピグメントオレンジ１６、３６、４３、５１、５５、５９、６１、７１、Ｃ．Ｉ．ピグメントレッド９、４８、４９、５２、５３、５７、９７、１２２、１２３、１４９、１６８、１７５、１７６、１７７、１８０、１９２、２０２、２０９、２１５、２１６、２１７、２２０、２２３、２２４、２２６、２２７、２２８、２３８、２４０、２５４、２５５、２７２、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６等が挙げられる。これらは単独で、あるいは２種以上を組み合わせて用いることができる。
【００６０】
蛍光染料としては、具体的には、Ｃ．Ｉ．ベーシックレッド１、２、９、１２、１３、１４、１７、Ｃ．Ｉ．ベーシックバイオレット１、３、７、１０、１１：１、１４、Ｃ．Ｉ．アシッドレッド５１、５２、９２、９４、Ｃ．Ｉ．ダイレクトイエロー１１、２４、２６、８７、１００、１３２、１４７、Ｃ．Ｉ．ダイレクトオレンジ２６、２９、２９：１、４６、Ｃ．Ｉ．ダイレクトレッド１、１３、１７、２３９、２４０、２４２、２５４、Ｃ．Ｉ．フルオロセントブライトナー９１、１６２：１等が挙げられる。これらは単独で、あるいは２種以上を組み合わせて用いることができる。
【００６１】
蛍光色材は、浸透性を高め、識別性を高める観点から、好ましくは、キノフタロン系顔料、クマリン系顔料及びナフタールイミド系染料からなる群から選ばれる少なくとも１種であり、より好ましくは、キノフタロン系顔料、及びクマリン系顔料からなる群から選ばれる少なくとも１種であり、更に好ましくはキノフタロン系顔料であり、更に好ましくはＣ．Ｉ．ピグメントイエロー１３８、更に好ましくはＢ型キノフタロンである。
【００６２】
蛍光色材の市販品としては、富士色素工業株式会社製、Ｂ型キノフタロン顔料（Ｃ．Ｉ．ピグメントイエロー１３８）、日本化薬株式会社製、商品名「Ｍｉｋａｗｈｉｔｅ」ＡＴＮ  ｃｏｎｃ、ＫＴＳ  ｅｘｔｒａｃｏｎｃ、日本化薬株式会社製、商品名「Ｋａｙａｌｉｇｈｔ」Ｂ、ＯＳ、ＯＳＮが挙げられる。
【００６３】
本開示の眼鏡レンズの製造方法は、例えば、眼鏡レンズ上に、色材を含有するインクを配置する工程（以下、「工程１」ともいう）と、インクを配置した眼鏡レンズを加熱する工程（以下、「工程２」ともいう）と、を有する。
【００６４】
工程１で使用するインクには、好ましくは蛍光色材、浸透助剤、高沸点溶媒、及び水を含む。
蛍光色材の含有量は、インク中、好ましくは１〜１５質量％、より好ましくは２〜１０質量％、更に好ましくは３〜８質量％である。
【００６５】
浸透助剤としては、浸透性を高め、マークの識別性を高める観点から、環状含窒素化合物が好ましく、Ｎ−メチル−２−ピロリドンがより好ましい。
浸透助剤の含有量は、インク中、色材の浸透性を高める観点から、好ましくは０．１〜１０質量％、より好ましくは０．５〜１０質量％、更に好ましくは１．０〜５．０質量である。
【００６６】
高沸点溶媒としては、例えば、トリエチレングリコール、テトラエチレングリコール、トリプロピレングリコールなどのオキシエチレン又はオキシプロピレン付加重合体；グリセリンなどのトリオール類；チオジグリコール；トリエチレングリコールモノエチルエーテル、トリエチレングリコールモノブチルエーテルなどの低級アルキルグリコールエーテル類；トリエチレングリコールジエチルエーテル、テトラエチレングリコールジメチルエーテル、テトラエチレングリコールジエチルエーテルなどの低級ジアルキルグリコールエーテル類等が挙げられる。これらは単独で、あるいは２種以上を組み合わせて用いることができる。
これらの中でも、高沸点溶媒は、グリセリンが好ましい。
高沸点溶媒の含有量は、インク中、好ましくは３０〜８０質量、より好ましくは３５〜７０質量％、更に好ましくは４０〜６０質量％である。
【００６７】
水としては、例えば、水道水、純水、イオン交換水等が挙げられる。
水の含有量は、インク中、好ましくは３０〜８０質量、より好ましくは３５〜７０質量％、更に好ましくは４０〜６０質量％である。
【００６８】
インクの粘度は、インクジェット記録方法によってインクを配置する観点から、好ましくは１ｍＰａ・ｓ以上、より好ましくは５ｍＰａ・ｓ以上、更に好ましくは１０ｍＰａ・ｓ以上であり、好ましくは４０ｍＰａ・ｓ以下、より好ましくは３５ｍＰａ・ｓ以下、更に好ましくは３０ｍＰａ・ｓ以下である。
インクの粘度は、ＪＩＳ  Ｚ  ８８０３に準拠して、温度２５℃の条件下、Ｅ型粘度計（例えば、東機産業株式会社製、商品名「ＲＥ−８０Ｌ粘度計」等）を用いて測定することができる。
【００６９】
インクのｐＨは、好ましくは３．０以上、より好ましくは３．５以上、更に好ましくは４．０以上であり、好ましくは１２以下、より好ましくは１１以下、更に好ましくは１０以下である。
インクのｐＨは、温度２５℃の条件下、ｐＨメーター（例えば、ＨＯＲＩＢＡ製、商品名「Ｄ−５１」等）を用い、測定することができる。
【００７０】
工程１において、インクの配置方法は、眼鏡レンズに形成するマークに応じて選択することができ、特に限定されないが、例えば、インクジェット記録方法、スタンプ等が挙げられる。
インクジェット記録方法としては、（ｉ）ノズルから連続的にインク液滴を吐出して、液滴の飛翔方向を電荷制御することにより物品に印字するコンティニュアス方式、（ii）印字するときだけ加圧し選択的にノズルからインク液滴を吐出するオンデマンド方式等が挙げられる。
これらの中でも、オンデマンド方式が好ましい。
オンデマンド方式としては、ピエゾ方式、サーマル方式が挙げられる。
これらインクジェット記録方法は、公知の方法により行うことができる。
【００７１】
工程２では、インクを浸透させるため、インクを配置した眼鏡レンズを加熱する。
工程２の加熱温度は、インクを浸透させる観点から、好ましくは５０〜１２０℃、より好ましくは６０〜１１０℃、更に好ましくは７０〜１００℃である。
上述の加熱後、眼鏡レンズ上に残存したインクを除去する操作を行ってもよい。
【００７２】
なお、プライマー層、ハードコート膜、及び反射防止膜は、公知の方法により、形成することができる。
【００７３】
図１６は、第２実施形態の眼鏡レンズ５００の構成を説明するための断面図である。本実施形態の眼鏡レンズ５００は、基材５１０と、プライマー層５２０と、ハードコート膜５３０と、反射防止膜５４０と、ハードコート膜５３０に色材により含浸形成されたステルスマーク５０１とを備える。
【００７４】
図１７は、第３実施形態の眼鏡レンズの構成を示す概略図である。第３実施形態の眼鏡レンズは、ステルスマーク５０１として、設計基準点５０１ｃ及び枠パターン５０１ｄを有する。
可視光の下では、設計基準点５０１ｃが視認できないので、設計基準点を比較的大きく印刷しても、通常の眼鏡レンズとしての使用において問題が生じない。一方で、所定の波長をもつ光を照射することで、設計基準点を明瞭に視認することができるため、工場及び販売店の作業者の確認が容易であり、熟練した技術が必要なくなる。
【００７５】
図１８は、第４実施形態の眼鏡レンズの構成を示す概略図である。
第４実施形態の眼鏡レンズは、ステルスマーク５０１として、二次元コード５０１ａ、英数字５０１ｂ、設計基準点５０１ｃを有する。二次元コード及び英数字は、凹面に設けられた含浸領域により形成されている。設計基準点は、凸面に設けられた含浸領域により形成されている。
眼鏡レンズの基材には、通常、紫外線吸収剤が含まれている。したがって、凹面に設けられたステルスマークは、凸面側から紫外光を照射しても、可視とならない。すなわち、ブラックライトのような紫外光環境下におかれたとしても、凸面側からステルスマークが観察されない。
一方、設計基準点は、凸面に設けられているため、製造時の位置合わせにおいて使用する場合、基材の屈折による影響がなく、正確に位置を特定することができる。
【００７６】
図１９は、本開示の眼鏡レンズの使用態様を示す概略図である。
ステルスマーク５０１は、ボクシング中心付近でなくとも、枠パターン内に形成されていてもよい。
本開示の眼鏡レンズは、ボクシング中心付近又は枠パターン内にステルスマークが形成されているため、玉型加工後も、当該マークが残り、エンドユーザに渡ってからも、眼鏡レンズの識別情報を読み取ることが可能となる。
【実施例】
【００７７】
以下、具体的な実施例を示すが、本請求の範囲は、以下の実施例によって限定されるものではない。【００７８】
実施例１、参考例１，２
〔インク調製〕
下記の表１の各成分を混合し、インクを調製した。なお、顔料の水分散体は、富士色素工業株式会社製「ＦＳＰ  ＬＭ  ３２Ｅ  オレンジ」であり、分散体中の固形分濃度は４０質量％である。【００７９】
〔眼鏡レンズ調製〕
屈折率１．６７の基材（チオウレタン系プラスチックレンズ、ＨＯＹＡ株式会社製、「ＥＹＮＯＡ」）上に表１に示したインクを滴下して液滴を形成し（工程１）、８０℃で１５分加熱処理した（工程２）。その後、表面に付着したインクを拭取って、眼鏡レンズを得た。【００８０】
〔インク識別性評価１〕
下記の基準で、蛍光灯の下で目視にて眼鏡レンズを観察し、インクの識別性の評価を行った。
Ａ：眼鏡レンズの表面に、液滴の形状が確認できる。
Ｂ：眼鏡レンズの表面に、液滴の輪郭のみの形状が確認できる。
Ｃ：眼鏡レンズの表面に、液滴の形状が確認できない。【００８１】
【表１】
2017111142.tif 000003
【００８２】
参考例３〜５
〔インク調製〕
下記の表２の各成分を混合し、インクを調製した。なお、顔料の水分散体は、富士色素工業株式会社製「ＦＳＰ  ＬＭ  ３２Ｅ  オレンジ」であり、分散体中の固形分濃度は４０質量％である。
（浸透助剤）
Ｐ−２：ＵＶサイアソーブ（ＵＶ２４）（商品名、サンケミカル株式会社製、２，２’−ジヒドロキシ−４−メトキシベンゾフェノン、融点７３−７５℃、沸点１７０−１７５℃（１ｍｍＨｇ））
Ｐ−３：ＤＡＩＮＳＯＲＢ  Ｔ−Ｏ（商品名、大和化成株式会社製、２−（２’，４’−ジヒドロキシフェニル）ベンゾトリアゾール、沸点４８５℃（７６０ｍｍＨｇ））
Ｐ−４：ＫＥＭＩ−ＳＯＲＢ  ７１（商品名、ケミプロ化成株式会社製）【００８３】
〔眼鏡レンズ調製〕
屈折率１．６７の基材（チオウレタン系プラスチックレンズ、ＨＯＹＡ株式会社製、「ＥＹＮＯＡ」）上に表２に示したインクを滴下して液滴を形成し（工程１）、８０℃で１５分加熱処理した（工程２）。上述の〔インク識別性評価１〕の方法に従って、評価を行った。【００８４】
【表２】
2017111142.tif 000004
【００８５】
実施例２〜５
〔インク調製〕
下記の表３の各成分を混合し、インクを調製した。
（顔料）
Ｃ−１：ＫＩＷＡ−ＪＥＴ（商品名）顔料インク（シアン）、紀和化学工業株式会社製
Ｃ−２：ＫＩＷＡ−ＪＥＴ（商品名）顔料インク（マゼンタ）、紀和化学工業株式会社製
Ｃ−３：ＫＩＷＡ−ＪＥＴ（商品名）顔料インク（イエロー）、紀和化学工業株式会社製
Ｃ−４：ＫＩＷＡ−ＪＥＴ（商品名）顔料インク（ブラック）、紀和化学工業株式会社製【００８６】
〔眼鏡レンズ調製〕
屈折率１．６０の基材（チオウレタン系プラスチックレンズ、ＨＯＹＡ株式会社製、「ＥＹＡＳ」）、
屈折率１．６７の基材（チオウレタン系プラスチックレンズ、ＨＯＹＡ株式会社製、「ＥＹＮＯＡ」）、
屈折率１．７０の基材（ポリスルフィド系プラスチックレンズ、ＨＯＹＡ株式会社製、「ＥＹＲＹ」）を用いて、それぞれの基材上に表１に示したインクを滴下して液滴を形成し（工程１）、８０℃で１５分加熱処理した（工程２）。その後、表面に付着したインクを拭取って、眼鏡レンズを得た。上述の〔インク識別性評価１〕の方法に従って、評価を行った。【００８７】
【表３】
2017111142.tif 000005
【００８８】
実施例６〜９
〔ステルスインク調製〕
下記の表４の各成分を混合し、インクを調製した。
（顔料）
ＣＳ−１：Ｂ型キノフタロン顔料（Ｃ．Ｉ．ピグメントイエロー138、ＦＵＪＩ  ＳＰ  グリーン５１０、富士色素工業株式会社製）
ＣＳ−２：クマリン系顔料（分子量２５０〜３５０、ＦＵＪＩ  ＳＰ  ブルー５１１、富士色素株式会社製）
（浸透助剤）
Ｐ−１：Ｎ−メチル−２−ピロリドン
（高沸点溶媒）
Ｈ−１：グリセリン【００８９】
〔眼鏡レンズ調製〕
屈折率１．６７の基材（チオウレタン系プラスチックレンズ、ＨＯＹＡ株式会社製、「ＥＹＮＯＡ」）上に表４に示したインクを滴下して液滴を形成し（工程１）、表４に示した温度で１５分加熱処理した（工程２）。その後、表面に付着したインクを拭取って、眼鏡レンズを得た。いずれも可視光の下では、液滴の形状は確認できなかった。【００９０】
〔インク識別性評価２〕
下記の基準で、２８０〜４００ｎｍの紫外光の照射下で目視にて眼鏡レンズを観察し、インクの識別性の評価を行った。
Ａ：眼鏡レンズの表面に、液滴の形状が確認できる。
Ｂ：眼鏡レンズの表面に、液滴の輪郭のみの形状が確認できる。
Ｃ：眼鏡レンズの表面に、液滴の形状が確認できない。【００９１】
〔面荒れ評価〕
下記の基準で、蛍光灯の下で目視にて眼鏡レンズを観察し、眼鏡レンズの表面を観察して、下記の基準で面荒れの評価を行った。
Ａ：眼鏡レンズの表面に、面荒れが確認できない。
Ｂ：眼鏡レンズの表面に、液滴の輪郭のみに面荒れが確認できる。
Ｃ：眼鏡レンズに、明瞭な面荒れが確認できる。【００９２】
【表４】
2017111142.tif 000006
【００９３】
本明細書は、以下の実施形態を開示する。
〔１−１〕可視光の下で不可視であり所定波長の下で可視となるステルスマークから識別情報を読み取って入力するステルスマーク入力部と、
光学部材に関する管理情報を格納した記憶部と、
ステルスマーク入力部から識別情報を受信して、ステルスマークに対応する管理情報を記憶部から選択するデータ処理部と
を備える光学部材管理システムであって、
ステルスマーク入力部が、可視光の下で不可視であり所定波長の光の下で可視となる、ステルスマークを読み取るステルスマーク読み取り部を含む、光学部材管理システム。
〔１−２〕可視光の下で不可視であり所定波長の光の下で可視となる、ステルスマークを読み取るステップと、
可視光の下で不可視であり所定波長の下で可視となるステルスマークから識別情報を読み取って入力するステップと、
ステルスマーク入力工程で読み取った識別情報を受信して、ステルスマークに対応する管理情報を、光学部材に関する管理情報を格納した記憶部から選択するステップと
を備える、光学部材管理方法。
〔１−３〕端末装置と管理装置とを備え、
端末装置が、ステルスマーク入力部と、ステルスマーク読み取り部とを有し、
管理装置が、記憶部と、データ処理部とを有する、〔１〕に記載の光学部材管理システム。
〔１−４〕上述の〔３〕に記載の光学部材管理システムに含まれる端末装置を、可視光の下で不可視であり所定波長の下で可視となるステルスマークから識別情報を読み取って入力するステルスマーク入力部、可視光の下で不可視であり所定波長の光の下で可視となる、ステルスマークを読み取るステルスマーク読み取り部として機能させるためのプログラム。
〔１−５〕上述の〔３〕の光学部材管理システムに含まれる管理装置を、光学部材に関する管理情報を格納した記憶部、ステルスマーク入力部から識別情報を受信して、ステルスマークに対応する管理情報を記憶部から選択するデータ処理部として機能させるためのプログラム。【００９４】
〔２−１〕  玉型加工前の光学部材に付加された、可視光の下で不可視であり所定波長の下で可視となるステルスマークを読み取って入力するステルスマーク入力部と、
ステルスマーク入力部に入力されたステルスマークに基づいて、玉型加工前の光学部材を加工する加工部とを備え、
ステルスマーク入力部が、
可視光の下で不可視であり、所定波長の光の下で可視となるステルスマークを読み取るステルスマーク読み取り部を含む、光学部材製造システム。
〔２−２〕  可視光の下で不可視であり、所定波長の光の下で可視となるステルスマークを読み取るステップと、
玉型加工前の光学部材に付加された、可視光の下で不可視であり所定波長の下で可視となるステルスマークを読み取って入力するステップと、
ステルスマーク入力部に入力されたステルスマークに基づいて、玉型加工前の光学部材を加工するステップと
を備える、光学部材製造方法。【００９５】
最後に、本開示の第１〜２の実施形態を図等を用いて総括する。
図１に示すように、本開示の第１の実施形態は、可視光の下で不可視であり所定波長の下で可視となるステルスマークから識別情報を読み取って入力するステルスマーク入力部１０１を有する端末装置１００と、
眼鏡レンズに関する管理情報Ｉを格納した記憶部２０１と、
ステルスマーク入力部１０１から識別情報を受信して、このステルスマークに対応する管理情報ｉを記憶部から選択するデータ処理部２０２とを有する、管理装置２００と
を備える眼鏡レンズ管理システム１であって、
ステルスマーク入力部１０１が、
可視光の下で不可視であり所定波長の光の下で可視となる、眼鏡レンズに形成された蛍光色材により形成された含浸領域よりなるステルスマーク５０１を読み取るステルスマーク読み取り部１０２を含む、眼鏡レンズ管理システム１である。【００９６】
以上、本実施形態に係る眼鏡レンズ管理システム１は、眼鏡レンズに形成されたステルスマークを読み取ることで、眼鏡レンズの情報を管理することができる。ステルスマークは、蛍光色材により形成された含浸領域よりなるので、可視光の下では視認できず、所定波長を照射したときのみ確認できる。そのため、眼鏡レンズとしての通常の利用に支障はなく、眼鏡の生産から流通まで、眼鏡レンズの履歴情報をステルスマークによって管理することができる。その結果、眼鏡販売店が、顧客管理、接客サポート、アフターサービスに本開示の眼鏡レンズ管理システムを活用でき、より具体的には、顧客のカルテを電子データで管理することによるカルテレス化、眼鏡レンズメーカの製品保証、販売店製品保証、ダイレクトメールの発行時期などを管理する販売促進ツール、眼鏡レンズの再作支援等に活用することができる。【００９７】
図２に示すように、本開示の第２の実施形態は、
可視光の下で不可視であり所定波長の下で可視となるステルスマークから識別情報を読み取って入力するステルスマーク入力部１０１を有する、工場に設置された端末装置１００ａと、
可視光領域では不可視なステルスマークから識別情報を読み取って入力するステルスマーク入力部１０１を有する、眼鏡レンズメーカの営業に設置された端末装置１００ｂと、
可視光の下で不可視であり所定波長の下で可視となるステルスマークから識別情報を読み取って入力するステルスマーク入力部１０１を有する、眼鏡販売店に設置された端末装置１００ｃと、
眼鏡レンズに関する管理情報Ｉを格納した記憶部２０１と、
ステルスマーク入力部１０１から識別情報を受信して、このステルスマークに対応する管理情報ｉを記憶部２０１から選択するデータ処理部２０２とを有する管理装置２００と、
を備える、眼鏡レンズ管理システム１であって、
ステルスマーク入力部１０１が、
可視光の下で不可視であり所定波長の光の下で可視となる、眼鏡レンズに形成された蛍光色材により形成された含浸領域よりなるステルスマークを読み取るステルスマーク読み取り部１０２を含む、眼鏡レンズ管理システムである。【００９８】
管理情報として、製造工程における表面処理情報、レイアウト情報等を表示することで、個別の眼鏡レンズに対応する情報を表示できるので、工場内で、眼鏡レンズに添付する紙の指示書をなくすことができる。
販売店は、一般的に眼鏡の作成時に処方情報にあわせて、顧客ごとのカルテを作成するが、店舗内に広い保管スペースが必要となる。本実施形態の眼鏡レンズ管理システムより、顧客カルテ情報を管理することで、販売店が作成する紙のカルテを代替することができる。
本実施形態の眼鏡レンズ管理システムにより、販売店員は、エンドユーザからの眼鏡の再作の依頼があった場合、眼鏡レンズに付されたステルスマークから識別情報を読み取って、管理装置２００に送信することで、眼鏡レンズの処方など再作に必要な情報を入手しなくとも、簡単に再作依頼をすることができる。【００９９】
最後に、本開示の第３〜第５の実施の形態を図等を用いて総括する。【０１００】
図１２に示すように、本開示の第３の実施形態に係る眼鏡レンズ製造システム２は、端末装置１１０と加工装置３００とを備え、
端末装置１１０は、玉型加工前の眼鏡レンズに付加された、可視光の下で不可視であり所定波長の下で可視となるステルスマークを読み取って入力するステルスマーク入力部１１１を有し、
ステルスマーク入力部は、可視光の下で不可視であり、所定波長の光の下で可視となる、眼鏡レンズに形成された蛍光色材により形成された含浸領域よりなるステルスマークを読み取るステルスマーク読み取り部１１２を含み、
加工装置３００は、ステルスマーク入力部１１０に入力されたステルスマークに基づいて、玉型加工前の眼鏡レンズを加工する加工部３０１を有する。
本実施形態において使用するステルスマークとしては、設計基準点、枠パターン等が好ましい。加工装置に設置した眼鏡レンズに対して、所定波長を照射して、設計基準点を読み取ることで位置決めに使用することもできる。【０１０１】
図１３に示すように、第４の実施形態に係る眼鏡レンズ製造システム２は、第３の実施形態に係る眼鏡レンズ製造システム２に加えて、管理装置２００を更に備える。
加工装置３００は、管理装置２００から送信された管理情報に基づいて加工を行う。管理情報として、製造工程におけるレシピを表示することで、個別の眼鏡レンズに対応する情報を表示できるので、工場内で、眼鏡レンズに添付する紙の指示書をなくすことができ、更に眼鏡レンズの取違いを防ぐことができる。【０１０２】
図１４に示すように、第５の実施形態に係る眼鏡レンズ製造システム２は、第４の実施形態に係る眼鏡レンズ製造システムに加えて、検査装置４００を更に備え、
検査装置４００は、加工後の眼鏡レンズの検査を行う検査部４０１と、データ処理部が選択した管理情報と、検査部から得られる検査情報を対比して、眼鏡レンズの不良判定を行う不良判定部４０２とを有する。
加工装置３００は、管理装置２００から送信された管理情報と検査部から得られる検査情報を対比して、眼鏡レンズの不良判定を行う。個別の眼鏡レンズに対応する情報から、眼鏡レンズの不良判定を行うことができるため、更に眼鏡レンズの取違いを防ぐことができる。【０１０３】
最後に、本開示の眼鏡レンズの第１〜第４の実施形態を図等を用いて総括する。【０１０４】
図１５に示すように、第１実施形態の眼鏡レンズ５００は、眼鏡レンズのボクシング中心付近に形成されたステルスマーク５０１を有する。ステルスマーク５０１は蛍光色材により形成された含浸領域よりなる、二次元コードである。
ステルスマーク５０１は、基材５１０に含浸形成されているため、可視光の下で不可視であり、眼鏡レンズの表面を拭取る或いは加工する場合であっても消失しにくくなる。
本実施形態の眼鏡レンズは、例えば、所定の波長をもつ光を照射することで、ステルスマークが可視となる。そのため、通常の眼鏡としての使用時には、ステルスマークは視認されず、所定の波長をもつ光を照射することで、可視となり、二次元コードが読み取り可能となる。【０１０５】
図１６に示すように、第２実施形態の眼鏡レンズ５００は、基材５１０と、プライマー層５２０と、ハードコート膜５３０と、反射防止膜５４０と、ハードコート膜５３０に色材により含浸形成されたステルスマーク５０１とを備える。【０１０６】
図１７に示すように、第３実施形態の眼鏡レンズは、ステルスマーク５０１として、設計基準点５０１ｃ及び枠パターン５０１ｄを有する。
可視光の下では、設計基準点５０１ｃが視認できないので、設計基準点を比較的大きく印刷しても、通常の眼鏡レンズとしての使用において問題が生じない。一方で、所定の波長をもつ光を照射することで、設計基準点を明瞭に視認することができるため、工場及び販売店の作業者の確認が容易であり、熟練した技術が必要なくなる。【０１０７】
図１８に示すように、第４実施形態の眼鏡レンズは、ステルスマーク５０１として、二次元コード５０１ａ、英数字５０１ｂ、設計基準点５０１ｃを有する。二次元コード及び英数字は、凹面に設けられた含浸領域により形成されている。
眼鏡レンズの基材には、通常、紫外線吸収剤が含まれている。したがって、凹面に設けられたステルスマークは、凸面側から紫外光を照射しても、可視とならない。すなわち、ブラックライトのような紫外光環境下におかれたとしても、凸面側からステルスマークが観察されない。一方、設計基準点は、凸面に設けられているため、製造時の位置合わせにおいて使用する場合、基材の屈折による影響がなく、正確に位置を特定することができる。【０１０８】
本開示は、以下を含む。
＜１ａ＞可視光の下で不可視であり所定波長の下で可視となるステルスマークを備え、
上記ステルスマークが、光学部材に形成された蛍光色材により形成された含浸領域よりなる、光学部材。
＜２ａ＞上記光学部材が眼鏡レンズである、＜１ａ＞に記載の光学部材。
＜３ａ＞基材と、プライマー層と、ハードコート膜と、反射防止膜と、を備え、
上記ステルスマークが、基材、プライマー層、及びハードコート膜からなる群から選ばれるいずれかに含浸されてなる、＜２ａ＞に記載の光学部材。
＜４ａ＞上記基材が凸面及び凹面を有し、
上記ステルスマークが凸面側に形成されてなる、＜３ａ＞に記載の光学部材。
＜５ａ＞上記基材が凸面及び凹面を有し、
上記ステルスマークが凹面側に形成されてなる、＜３ａ＞又は＜４ａ＞に記載の光学部材。
＜６ａ＞上記ステルスマークが、眼鏡レンズのボクシング中心付近、又は枠パターン内に形成されてなる、＜２ａ＞〜＜５ａ＞のいずれかに記載の光学部材。
＜７ａ＞上記ステルスマークが一次元コード又は二次元コードを含む、＜１ａ＞〜＜６ａ＞のいずれかに記載の光学部材。
＜８ａ＞上記ステルスマークが文字を含む、＜１ａ＞〜＜７ａ＞のいずれかに記載の光学部材。
＜９ａ＞上記ステルスマークが設計基準点を含む、＜１ａ＞〜＜８ａ＞のいずれかに記載の光学部材。
＜１０ａ＞上記ステルスマークが枠パターンを含む、＜１ａ＞〜＜９ａ＞のいずれかに記載の光学部材。【０１０９】
＜１ｂ＞可視光の下で不可視であり所定波長の下で可視となるステルスマークから識別情報を読み取って入力するステルスマーク入力部と、
光学部材に関する管理情報を格納した記憶部と、
上記ステルスマーク入力部から上記識別情報を受信して、上記ステルスマークに対応する管理情報を上記記憶部から選択するデータ処理部と
を備える光学部材管理システムであって、
上記ステルスマーク入力部が、
可視光の下で不可視であり所定波長の光の下で可視となる、光学部材に形成された蛍光色材により形成された含浸領域よりなるステルスマークを読み取るステルスマーク読み取り部を含む、光学部材管理システム。
＜２ｂ＞上記光学部材が、眼鏡レンズである、＜１ｂ＞に記載の光学部材管理システム。
＜３ｂ＞上記ステルスマークが、上記眼鏡レンズのボクシング中心付近、又は枠パターン内に形成されてなる、＜２ｂ＞に記載の光学部材管理システム。
＜４ｂ＞上記ステルスマークが一次元コード又は二次元コードを含む、＜２ｂ＞又は＜３ｂ＞に記載の光学部材管理システム。
＜５ｂ＞上記ステルスマークが文字を含む、請求項＜２ｂ＞〜＜４ｂ＞のいずれかに記載の光学部材管理システム。
＜６ｂ＞上記ステルスマークが設計基準点を含む、＜２ｂ＞〜＜５ｂ＞のいずれかに記載の眼鏡レンズ管理システム。
＜７ｂ＞上記管理情報として、製造情報、販売情報、及び顧客カルテ情報からなる群から選ばれる少なくとも１種を含む、＜２ｂ＞〜＜６ｂ＞のいずれかに記載の光学部材管理システム。
＜８ｂ＞上記製造情報が、レンズ材料、設計タイプ、製造履歴情報、製造工場、製造日、処方情報、品質情報、表面処理情報、レイアウト情報、Ｒ／Ｌ識別情報、及び設計基準点情報から選ばれる少なくとも１種を含む、＜７ｂ＞に記載の光学部材管理システム。
＜９ｂ＞上記販売情報が、流通経路情報、販売先、及び納品日から選ばれる少なくとも１種を含む、＜７ｂ＞に記載の光学部材管理システム。
＜１０ｂ＞上記顧客カルテ情報が、氏名、生年月日、検眼情報、眼鏡レンズの処方、及び販売日から選ばれる少なくとも１種を含む、＜７ｂ＞に記載の光学部材管理システム。
＜１１ｂ＞端末装置と管理装置とを備え、
上記端末装置が、上記ステルスマーク入力部と、上記ステルスマーク読み取り部とを有し、
上記管理装置が、上記記憶部と、上記データ処理部とを有する、＜１ｂ＞〜＜１０ｂ＞のいずれかに記載の光学部材管理システム。
＜１２ｂ＞上記端末装置が、販売顧客情報を入力する販売顧客情報入力部を更に有し、
上記管理装置の上記データ処理部が、上記識別情報に対応して、販売顧客情報を上記記憶部に格納する、＜１１ｂ＞に記載の光学部材管理システム。
＜１３ｂ＞上記管理装置が、上記記憶部に格納された光学部材の製造日から所定期間経過した光学部材を保管している端末装置に対して、使用期限情報を送信する、使用期限管理部を更に有し、
上記端末装置が、上記使用期限情報を表示する表示部を有する、＜１１ｂ＞又は＜１２ｂ＞に記載の光学部材管理システム。
＜１４ｂ＞上記端末装置が、光学部材の識別情報と関連して、再作発注情報を入力する再作発注情報入力部を更に有し、
管理装置のデータ処理部が、上記識別情報から、処方情報を含む管理情報を上記記憶部から選択し、別の端末装置に送信する再作情報処理部を更に有する、＜１１ｂ＞〜＜１３ｂ＞のいずれかに記載の光学部材管理システム。
＜１５ｂ＞可視光の下で不可視であり所定波長の光の下で可視となる、光学部材に形成された蛍光色材により形成された含浸領域よりなるステルスマークを読み取るステップと、
可視光の下で不可視であり所定波長の光の下で可視となる、ステルスマークから識別情報を読み取って入力するステップと、
上記入力するステップで読み取った上記識別情報を受信して、上記ステルスマークに対応する管理情報を格納した記憶部から選択するステップと
を備える、光学部材管理方法。
＜１６ｂ＞販売顧客情報を入力するステップと、
上記識別情報に対応して、販売顧客情報を格納するステップと、
を更に備える、＜１５ｂ＞に記載の光学部材管理方法。
＜１７ｂ＞上記記憶部に格納された光学部材の製造日から所定期間経過した光学部材を保管している端末装置に対して、使用期限情報を送信するステップと、
端末装置が、上記使用期限情報を表示するステップと
を更に備える、＜１５ｂ＞又は＜１６ｂ＞に記載の光学部材管理方法。
＜１８ｂ＞上記識別情報と関連して、再作発注情報を入力するステップと、
上記識別情報から、処方情報を含む管理情報を上記記憶部から選択し、別の端末装置に送信するステップと、
を更に備える、＜１５ｂ＞〜＜１７ｂ＞のいずれかに記載の光学部材管理方法。
＜１９ｂ＞＜１１ｂ＞〜＜１４ｂ＞のいずれかに記載の光学部材管理システムに含まれる端末装置。
＜２０ｂ＞＜１１ｂ＞〜＜１４ｂ＞のいずれかに記載の光学部材管理システムに含まれる管理装置。
＜２１ｂ＞＜１１ｂ＞〜＜１４ｂ＞のいずれかに記載の光学部材管理システムに含まれる端末装置を、可視光の下で不可視であり所定波長の光の下で可視となる、ステルスマークから識別情報を読み取って入力するステルスマーク入力部、可視光の下で不可視であり所定波長の光の下で可視となる、光学部材に形成された蛍光色材により形成された含浸領域よりなるステルスマークを読み取るステルスマーク読み取り部として機能させるためのプログラム。
＜２２ｂ＞＜１１ｂ＞〜＜１４ｂ＞のいずれかに記載の光学部材管理システムに含まれる管理装置を、光学部材に関する管理情報を格納した記憶部、上記ステルスマーク入力部から識別情報を受信して、このステルスマークに対応する管理情報を上記記憶部から選択するデータ処理部として機能させるためのプログラム。【０１１０】
＜１ｃ＞  光学部材に付加された、可視光の下で不可視であり所定波長の下で可視となるステルスマークを読み取って入力するステルスマーク入力部と、
上記ステルスマーク入力部に入力されたステルスマークに基づいて、光学部材を加工する加工部とを備え、
上記ステルスマーク入力部が、
可視光の下で不可視であり、所定波長の光の下で可視となる、光学部材に形成された蛍光色材により形成された含浸領域よりなるステルスマークを読み取るステルスマーク読み取り部を含む、光学部材製造システム。
＜２ｃ＞上記光学部材が、眼鏡レンズである、＜１ｃ＞に記載の光学部材製造システム。
＜３ｃ＞加工前の光学部材が、玉型加工前の眼鏡レンズである、＜２ｃ＞に記載の光学部材製造システム。
＜４ｃ＞上記ステルスマークが、上記光学部材のボクシング中心付近、又は枠パターン内に形成されてなる、＜２ｃ＞又は＜３ｃ＞に記載の光学部材製造システム。
＜５ｃ＞上記ステルスマークが、一次元コード又は二次元コードを含む、＜１ｃ＞〜＜４ｃ＞のいずれかに記載の光学部材製造システム。
＜６ｃ＞上記ステルスマークが、文字を含む、＜１ｃ＞〜＜５ｃ＞のいずれかに記載の眼鏡レンズ製造システム。
＜７ｃ＞上記ステルスマークが、設計基準点を含む、＜１ｃ＞〜＜６ｃ＞のいずれかに記載の眼鏡レンズ製造システム。
＜８ｃ＞管理装置を更に備え、
上記管理装置が、
光学部材に関する管理情報を格納した記憶部と、
上記記憶部から上記ステルスマークに対応する管理情報を選択するデータ処理部とを有し、
上記加工部は、
上記データ処理部が選択した管理情報に基づいて加工を行う、＜１ｃ＞〜＜７ｃ＞のいずれかに記載の光学部材製造システム。
＜９ｃ＞上記加工部は、
上記ステルスマーク入力部に入力されたステルスマークに基づいて、光学部材の位置決めを行う、＜１ｃ＞〜＜８ｃ＞のいずれかに記載の光学部材製造システム。
＜１０ｃ＞管理装置と検査装置とを更に備え、
上記管理装置が、
光学部材に関する管理情報を格納した記憶部と、
上記記憶部から上記画像情報に対応する管理情報を選択するデータ処理部とを有し、
上記検査装置が、
加工後の光学部材の検査を行う検査部と、
上記データ処理部が選択した管理情報と、上記検査部から得られる検査情報を対比して、光学部材の不良判定を行う不良判定部とを有する、＜１ｃ＞〜＜９ｃ＞のいずれかに記載の光学部材製造システム。
＜１１ｃ＞可視光の下で不可視であり所定波長の光の下で可視となる、光学部材に形成された蛍光色材により形成された含浸領域よりなるステルスマークを読み取るステップと、
光学部材に付加された、可視光の下で不可視であり所定波長の下で可視となるステルスマークを読み取って入力するステップと、
上記ステルスマーク入力部に入力されたステルスマークに基づいて、光学部材を加工するステップと
を備える、光学部材の製造方法。
＜１２ｃ＞光学部材に関する管理情報を格納した記憶部から上記ステルスマークに対応する管理情報を選択するステップと、
上記管理情報に基づいて加工を行うステップと、
を更に備える、＜１１ｃ＞に記載の光学部材の製造方法。
＜１３ｃ＞光学部材に関する管理情報を格納した記憶部から上記ステルスマークに対応する管理情報を選択するステップと、
加工後の光学部材の検査を行うステップと、
上記選択した管理情報と、上記検査部から得られる検査情報を対比して、光学部材の不良判定を行うステップと
を備える、＜１１ｃ＞又は＜１２ｃ＞に記載の光学部材の製造方法。【０１１１】
今回開示された実施の形態はすべての点で例示であって制限的なものではないと考えられるべきである。本発明の範囲は上述の説明ではなくて請求の範囲によって示され、請求の範囲と均等の意味及び範囲内でのすべての変更が含まれることが意図される。
【符号の説明】
【０１１２】
１        眼鏡レンズ管理システム
２        眼鏡レンズ製造システム
３        ネットワーク
１００    端末装置
１０１    ステルスマーク入力部
１０２    ステルスマーク読み取り部
１１０    端末装置
１１１    ステルスマーク入力部
１１２    ステルスマーク読み取り部
２００    管理装置
２０１    記憶部
２０２    データ処理部
３００    加工装置
３０１    加工部
５００    眼鏡レンズ
５０１    ステルスマーク
５１０    基材
５２０    プライマー層
５３０    ハードコート膜
５４０    反射防止膜
【図１】
2017111142.tif 000007
【図２】
2017111142.tif 000008
【図３】
2017111142.tif 000009
【図４】
2017111142.tif 000010
【図５】
2017111142.tif 000011
【図６】
2017111142.tif 000012
【図７】
2017111142.tif 000013
【図８】
2017111142.tif 000014
【図９】
2017111142.tif 000015
【図１０】
2017111142.tif 000016
【図１１】
2017111142.tif 000017
【図１２】
2017111142.tif 000018
【図１３】
2017111142.tif 000019
【図１４】
2017111142.tif 000020
【図１５】
2017111142.tif 000021
【図１６】
2017111142.tif 000022
【図１７】
2017111142.tif 000023
【図１８】
2017111142.tif 000024
【図１９】
2017111142.tif 000025
【国際調査報告】
2017111142.tif 000026
2017111142.tif 000027
2017111142.tif 000028
2017111142.tif 000029